(57)【要約】  【課題】  テレビジョン装置等を配置するためのスペースを不要とすることができるシートシャッターシステムを提供する。  【解決手段】  このシートシャッターシステム１は、サーバ２と、シートシャッター装置３〜６とを具備する。シートシャッター装置３〜６は、建物の開口を開閉するシート１１と、シート１１の巻き取り又は巻き出しを行うためのモータ１２と、モータ１２を制御するための制御装置１３と、サーバ２から送信される画像データに基づく画像を表示するための画像表示装置１４とを具備する。【選択図】  図１
2005299369.tif 000002
【特許請求の範囲】
【請求項１】
複数のシートシャッター装置と、前記複数のシートシャッター装置に接続されたサーバとを具備するシステムであって、
前記複数のシートシャッター装置の各々が、
建物の開口において上げ下げされ前記開口を開閉するシートと、
前記シートの巻き取り又は巻き出しを行うためのモータと、
前記モータを制御するための制御装置と、
前記サーバから送信された画像データに基づいて画像を表示するための画像表示装置と、
を具備し、
前記サーバが、
前記複数のシートシャッター装置に画像を表示させるための画像データを送信すること
を特徴とするシートシャッターシステム。
【請求項２】
前記サーバが、前記複数のシートシャッター装置に所定の画像を所定の時刻に表示させるためのスケジュール管理を行うこと
を特徴とする、請求項１記載のシートシャッターシステム。
【請求項３】
前記サーバが、
複数の画像データを記録するための画像データ記録部と、
前記複数のシートシャッター装置に前記複数の画像データの中の所定の画像データに基づく画像を所定の時刻に表示させるためのスケジュールデータを記録するためのスケジュールデータ記録部と、
前記スケジュールデータに従って、前記複数の画像データの中の所定の画像データを前記複数のシートシャッター装置に送信する画像データ送信部と、
を具備する、請求項２記載のシートシャッターシステム。
【請求項４】
前記サーバが、前記スケジュールデータの作成又は更新処理を行うためのスケジュールデータ作成更新処理部を更に具備する、請求項３記載のシートシャッターシステム。
【請求項５】
前記サーバが、ＰＯＳ（Point Of Sales）情報を記録するためのＰＯＳ情報記録部を更に具備し、前記スケジュールデータ作成更新処理部が、前記ＰＯＳ情報を参照して前記スケジュールデータの作成又は更新処理を行う、請求項４記載のシートシャッターシステム。
【請求項６】
前記スケジュールデータ作成更新処理部が、前記ＰＯＳ情報を参照することにより、ユーザによって選択された商品が最も売れた時間帯、前記選択された商品のメーカの前記選択された商品の種別に属する商品が最も売れた時間帯、及び／又は、前記選択された商品の種別が最も売れた時間帯を求め、求めた時間帯において前記選択された商品の画像を前記複数のシートシャッター装置に長く表示させるためのスケジュールデータの作成又は更新を行う、請求項５記載のシートシャッターシステム。
【請求項７】
前記スケジュールデータ作成更新処理部が、前記選択された商品が最も売れた時間帯、前記選択された商品のメーカの前記選択された商品の種別に属する商品が最も売れた時間帯、及び、前記選択された商品の種別が最も売れた時間帯が重複する時間帯を求め、求めた時間帯において前記選択された商品の画像を前記複数のシートシャッター装置に長く表示させるためのスケジュールデータの作成又は更新を行う、請求項６記載のシートシャッターシステム。
【請求項８】
前記スケジュールデータ作成更新処理部が、前記ＰＯＳ情報を参照することにより、ユーザによって選択された商品が最も売れなかった時間帯、前記選択された商品のメーカの前記選択された商品の種別に属する商品が最も売れなかった時間帯、及び／又は、前記選択された商品の種別が最も売れなかった時間帯を求め、求めた時間帯において前記選択された商品の画像を前記複数のシートシャッター装置に長く表示させるためのスケジュールデータの作成又は更新を行う、請求項５〜７のいずれか１項に記載のシートシャッターシステム。
【請求項９】
前記スケジュールデータ作成更新処理部が、前記選択された商品が最も売れなかった時間帯、前記選択された商品のメーカの前記選択された商品の種別に属する商品が最も売れなかった時間帯、及び、前記選択された商品の種別が最も売れなかった時間帯が重複する時間帯を求め、求めた時間帯において前記選択された商品の画像を前記複数のシートシャッター装置に長く表示させるためのスケジュールデータの作成又は更新を行う、請求項８記載のシートシャッターシステム。
【請求項１０】
前記スケジュールデータ作成更新処理部が、前記ＰＯＳ情報を参照することにより、ユーザによって選択された商品に競合する商品が最も売れた時間帯を求め、求めた時間帯において前記選択された商品の画像を前記複数のシートシャッター装置に長く表示させるためのスケジュールデータの作成又は更新を行う、請求項５〜９のいずれか１項に記載のシートシャッターシステム。
【請求項１１】
前記複数のシートシャッター装置の各々が、火災を検知するための火災センサを更に具備し、
前記サーバが、
火災に関するアラート画像データを記録するためのアラート画像データ記録部と、
前記複数のシートシャッター装置のいずれもが火災を検知していない場合に、前記スケジュールデータに従って、前記複数の画像データの中の所定の画像データを画像データ送信部を介して前記複数のシートシャッター装置に送信し、前記複数のシートシャッター装置のいずれかが火災を検知した場合に、前記アラート画像データを画像データ送信部を介して前記複数のシートシャッター装置に送信するための画像優先表示処理部と
を更に具備する、請求項１〜１０のいずれか１項に記載のシートシャッターシステム。
【請求項１２】
前記複数のシートシャッター装置が、前記サーバから送信された画像データを記録するための画像記録装置を具備し、前記画像表示装置が、前記画像記録装置に記録されている画像データに基づく画像を表示する、請求項１〜１１のいずれか１項に記載のシートシャッターシステム。
【発明の詳細な説明】
【技術分野】
【０００１】
本発明は、シートシャッターシステムに関する。
【背景技術】
【０００２】
現在、スーパーマーケットの食料品販売フロア、コンビニエンスストア等において、売場と倉庫との間の開口部の開閉にシートシャッター装置が用いられている。
【０００３】
従来、スーパーマーケットの売場においては、磁気テープ再生装置や店内放送設備を用いて商品案内の音声を出力することが行われていたが、音声のみでは買い物客に対する訴求力が不足すると考えられる。そのため、小型のテレビジョン装置とビデオデッキを用いて商品案内の画像を出力することが行われている。
【０００４】
しかしながら、テレビジョン装置を配置するためのスペースが売場に必要となるという問題があった。また、売場に配置可能なテレビジョン装置の大きさには制限があり、表示画面が小さく制限されるため、売場を散策する買い物客の意識を捉えにくいという問題があった。また、売場活性化には寄与するが、商品情報の提供、購買意識の高揚、商品イメージの定着等は困難であった。
【０００５】
ところで、店頭に設けられるガラス製の入口ドアの一部または全部に透光性のスクリーンを形成し、該入口ドアに接近する人を感知するセンサを設け、店内に液晶ビデオプロジェクターを設けその液晶シャッターにより投影される所望の映像をスクリーンに写し出すと共に、センサの感知信号によりその映像投写を中断させるようにした店頭ディスプレイ装置が知られている（例えば、特許文献１参照）。
【０００６】
しかしながら、特許文献１に掲載された店頭ディスプレイ装置は、入口ドアに所望の映像を写し出すものではあるが、複数の入口ドアとサーバとを接続し、サーバが、複数の入口ドアの各々に画像を表示させるための画像データを送信するものではない。
【０００７】
【特許文献１】特開平０６−４３８２１号公報
【発明の開示】
【発明が解決しようとする課題】
【０００８】
そこで、上記の点に鑑み、本発明は、テレビジョン装置等を配置するためのスペースを不要とし、大きな画像を表示することが可能なシートシャッターシステムを提供することを目的とする。
【課題を解決するための手段】
【０００９】
以上の課題を解決するため、本発明に係るシートシャッターシステムは、複数のシートシャッター装置と、複数のシートシャッター装置に接続されたサーバとを具備するシステムであって、複数のシートシャッター装置の各々が、建物の開口において上げ下げされ開口を開閉するシートと、シートの巻き取り又は巻き出しを行うためのモータと、モータを制御するための制御装置と、サーバから送信された画像データに基づいて画像を表示するための画像表示装置と、を具備し、サーバが、複数のシートシャッター装置の各々に画像を表示させるための画像データを送信することを特徴とする。
【００１０】
ここで、サーバが、複数のシートシャッター装置に所定の画像を所定の時刻に表示させるためのスケジュール管理を行うこととしても良い。
さらに、サーバが、複数の画像データを記録するための画像データ記録部と、複数のシートシャッター装置に複数の画像データの中の所定の画像データに基づく画像を所定の時刻に表示させるためのスケジュールデータを記録するためのスケジュールデータ記録部と、スケジュールデータに従って、複数の画像データの中の所定の画像データを複数のシートシャッター装置に送信する画像データ送信部とを具備することとしても良い。
【００１１】
また、サーバが、スケジュールデータの作成又は更新処理を行うためのスケジュールデータ作成更新処理部を更に具備することとしても良い。
さらに、サーバが、ＰＯＳ（Point Of Sales）情報を記録するためのＰＯＳ情報記録部を更に具備し、スケジュールデータ作成更新処理部が、ＰＯＳ情報を参照してスケジュールデータの作成又は更新処理を行うこととしても良い。
【００１２】
また、スケジュールデータ作成更新処理部が、ＰＯＳ情報を参照することにより、ユーザによって選択された商品が最も売れた時間帯、選択された商品のメーカの選択された商品の種別に属する商品が最も売れた時間帯、及び／又は、選択された商品の種別が最も売れた時間帯を求め、求めた時間帯において選択された商品の画像を複数のシートシャッター装置に長く表示させるためのスケジュールデータの作成又は更新を行うこととしても良い。
さらに、スケジュールデータ作成更新処理部が、選択された商品が最も売れた時間帯、選択された商品のメーカの選択された商品の種別に属する商品が最も売れた時間帯、及び、選択された商品の種別が最も売れた時間帯が重複する時間帯を求め、求めた時間帯において選択された商品の画像を複数のシートシャッター装置に長く表示させるためのスケジュールデータの作成又は更新を行うこととしても良い。
【００１３】
また、スケジュールデータ作成更新処理部が、ＰＯＳ情報を参照することにより、ユーザによって選択された商品が最も売れなかった時間帯、選択された商品のメーカの選択された商品の種別に属する商品が最も売れなかった時間帯、及び／又は、選択された商品の種別が最も売れなかった時間帯を求め、求めた時間帯において選択された商品の画像を複数のシートシャッター装置に長く表示させるためのスケジュールデータの作成又は更新を行うこととしても良い。
さらに、スケジュールデータ作成更新処理部が、選択された商品が最も売れなかった時間帯、選択された商品のメーカの選択された商品の種別に属する商品が最も売れなかった時間帯、及び、選択された商品の種別が最も売れなかった時間帯が重複する時間帯を求め、求めた時間帯において選択された商品の画像を複数のシートシャッター装置に長く表示させるためのスケジュールデータの作成又は更新を行うこととしても良い。
【００１４】
また、スケジュールデータ作成更新処理部が、ＰＯＳ情報を参照することにより、ユーザによって選択された商品に競合する商品が最も売れた時間帯を求め、求めた時間帯において選択された商品の画像を複数のシートシャッター装置に長く表示させるためのスケジュールデータの作成又は更新を行うこととしても良い。
【００１５】
また、複数のシートシャッター装置の各々が、火災を検知するための火災センサを更に具備し、サーバが、火災に関するアラート画像データを記録するためのアラート画像データ記録部と、複数のシートシャッター装置のいずれもが火災を検知していない場合に、スケジュールデータに従って、複数の画像データの中の所定の画像データを画像データ送信部を介して複数のシートシャッター装置に送信し、複数のシートシャッター装置のいずれかが火災を検知した場合に、アラート画像データを画像データ送信部を介して複数のシートシャッター装置に送信するための画像優先表示処理部とを更に具備することとしても良い。
【００１６】
また、複数のシートシャッター装置が、サーバから送信された画像データを記録するための画像記録装置を具備し、画像表示装置が、画像記録装置に記録されている画像データに基づく画像を表示することとしても良い。
【発明の効果】
【００１７】
上記構成によれば、テレビジョン装置等を配置するためのスペースを不要とし、大きな画像を表示することが可能となる。これにより、売場を散策する買い物客の意識を捉え、商品情報の提供、購買意識の高揚、商品イメージの定着等を図ることができる。また、複数のシートシャッター装置において画像を表示させるスケジュールをサーバにおいて集中管理することができる。
【発明を実施するための最良の形態】
【００１８】
以下、図面を参照しながら、本発明の実施の形態について説明する。なお、同一の構成要素には同一の参照符号を付して、説明を省略する。
図１は、本発明の第１の実施形態に係るシートシャッターシステムの概要を示す図である。図１に示すように、このシートシャッターシステム１は、サーバ２と、シートシャッター装置３〜６とを具備する。
【００１９】
本実施形態において、サーバ２は、スーパーマーケットの事務室内に、シートシャッター装置３は、スーパーマーケットの精肉売場と精肉倉庫との間の開口部に、シートシャッター装置４は、スーパーマーケットの鮮魚売場と鮮魚倉庫との間の開口部に、シートシャッター装置５は、スーパーマーケットの惣菜売場と惣菜倉庫との間の開口部に、シートシャッター装置６は、スーパーマーケットの野菜売場と野菜倉庫との間の開口部に、それぞれ設置されているものとする。
【００２０】
図１に示すように、シートシャッター装置３は、精肉売場と精肉倉庫との間の開口部を開閉するシート１１と、シート１１の巻き取り又は巻き出しを行うためのモータ１２と、モータ１２を制御するための制御装置１３と、サーバ２に接続され、サーバ２から受け取った画像データに基づいて画像を表示するための画像表示装置１４とを具備する。シートシャッター装置４〜６の内部構成も、シートシャッター装置３と同様である。
【００２１】
なお、シートシャッター装置３〜６内の画像表示装置１４として、特許文献１に掲載されている店頭ディスプレイ装置と同様に、プロジェクター装置を用いることとし、プロジェクター装置によってシート１１に画像を投写することとしても良い。また、図２及び図３に示すように、液晶表示装置を用いることとし、液晶表示装置をシート１１の上、右、又は、左に配置することとしても良い。
【００２２】
図４は、サーバ２の内部構成の概要を示す図である。図４に示すように、サーバ２は、ＰＯＳ情報記録部２１と、画像データ記録部２２と、入力部２３と、スケジュールデータ作成処理部２４と、表示部２５と、スケジュールデータ記録部２６と、画像データ送信部２７とを具備する。
【００２３】
ＰＯＳ情報記録部２１は、スーパーマーケットのレジスタ装置等を含むＰＯＳ（Point Of Sales）システムからＰＯＳ情報を受け取って記録する。
画像データ記録部２２は、ビデオデッキ、テレビチューナ等から複数の画像データを受け取って記録する。
【００２４】
スケジュールデータ作成処理部２４は、ユーザが入力部２３に入力する指示に応じて、画像データ記録部２２に記録されている複数の画像データの中の所定の画像データに基づく画像を所定の時刻にシートシャッター装置３〜６に表示させるためのスケジュールデータの作成又は更新処理を行う。なお、このスケジュールデータの作成又は更新処理に際し、ＰＯＳ情報を参照し、非常に良く売れている商品の画像を表示するためのスケジュールデータを作成又は更新することとしても良いし、あまり売れていない商品の画像を表示するためのスケジュールデータを作成又は更新することとしても良い。
【００２５】
スケジュールデータ記録部２６は、スケジュールデータ作成処理部２４によって作成又は更新されたスケジュールデータを記録する。図５は、スケジュールデータの一例を示す図である。図５に示すスケジュールデータに従って、例えば、１６時００分〜１７時００分の間は、シートシャッター装置３〜６において、本日の特売品に関する画像がエンドレスで表示される。
【００２６】
再び図４を参照すると、画像データ送信部２７は、スケジュールデータ記録部２６に記録されているスケジュールデータに従って、画像データ記録部２２から所定の画像データを読み出してシートシャッター装置３〜６に送信する。シートシャッター装置３〜６は、画像データ送信部２７から受信した画像データに基づいて画像を表示する。
【００２７】
次に、シートシャッターシステム１の動作について説明する。図６は、シートシャッターシステム１のサーバ２の動作を示すフローチャートである。
まず、スケジュールデータ作成処理部２４が、ＰＯＳ情報記録部２１にＰＯＳ情報が送信及び記録されたか否かをチェックし（ステップＳ１）、ＰＯＳ情報が送信及び記録された場合には、ＰＯＳ情報をスケジュールデータ作成時に参照することとする（ステップＳ２）。
【００２８】
次に、画像データ記録部２２が、画像出力装置から送信される画像データを記録する（ステップＳ３）。
そして、スケジュールデータ作成処理部２４が、ユーザからの入力に応じて、スケジュールデータを作成又は更新し、スケジュールデータ記録部２６に記録する（ステップＳ４）。
【００２９】
次に、画像データ送信部２７が、スケジュールデータ記録部２６に記録されているスケジュールデータに従って、シートシャッター装置３〜６に画像データの受信準備を指示する（ステップＳ５）。画像データ送信部２７は、シートシャッター装置３〜６から受信準備の確認信号を受信すると（ステップＳ６）、シートシャッター装置３〜６内のシート１１が下限位置で停止しているか否かをチェックし（ステップＳ７）、シート１１が下限位置で停止していない場合には、シート１１が下限位置で停止するまで待つ（ステップＳ８）。
【００３０】
次に、画像データ送信部２７は、シートシャッター装置３〜６への画像データの送信を開始する（ステップＳ９）。画像データ送信部２７は、シートシャッター装置３〜６への画像データの送信が開始された後にシート１１が動作した場合（ステップＳ１０）、画像データの送信を一時停止し（ステップＳ１１）、その後、シート１１が下限位置で停止すると（ステップＳ１２）、処理をステップＳ１０に戻す。
【００３１】
ステップＳ１０においてシート１１が動作停止している場合、画像データ送信部２７は、画像データの送信が全て完了したか否かをチェックし（ステップＳ１３）、完了していない場合には、次の画像データの送信を行い（ステップＳ１４）、その後、処理をステップＳ５に戻す。
【００３２】
なお、シートシャッター装置３〜６内の画像表示装置１４として、特許文献１に掲載されている店頭ディスプレイ装置と同様に、プロジェクター装置を用いる場合には、シート１１の位置をチェックするステップＳ７〜ステップＳ８及びステップＳ１０〜ステップＳ１２が必要であるが、図２及び図３に示すように、液晶表示装置を用いる場合には、ステップＳ７〜ステップＳ８及びステップＳ１０〜ステップＳ１２は、必ずしも必要ではない。
【００３３】
その後、画像データの送信が全て完了した場合（ステップＳ１３）、画像データ送信部２７は、処理を終了する。このようにしてサーバ２から送信された画像データに基づいて、シートシャッター装置３〜６内の画像表示装置１４が、画像を表示する。
【００３４】
以上説明したように、シートシャッターシステム１によれば、サーバ２が、スケジュールデータに従ってシートシャッター装置３〜６に画像データを送信し、シートシャッター装置３〜６内の画像表示装置１４が画像データに基づく画像を表示することができる。これにより、テレビジョン装置等を配置するためのスペースを不要とすることができる。また、売場を散策する買い物客の意識を捉え、商品情報の提供、購買意識の高揚、商品イメージの定着等を図ることができる。また、シートシャッター装置３〜６において画像を表示させるスケジュールをサーバ２において集中管理することができる。
【００３５】
なお、シートシャッター装置３〜６が、ハードディスク装置等の画像記録装置を具備し、サーバ２から送信された画像データを画像記録装置に記録し、画像記録装置に記録されている画像データに基づく画像を表示することとしても良い。
【００３６】
次に、本発明の第２の実施の形態について説明する。
図７は、本発明の第２の実施形態に係るシートシャッターシステムの概要を示す図である。図７に示すように、このシートシャッターシステム３１は、サーバ３２と、シートシャッター装置３３〜３６とを具備する。
【００３７】
本実施形態において、サーバ３２は、スーパーマーケットの事務室内に、シートシャッター装置３３は、スーパーマーケットの精肉売場と精肉倉庫との間の開口部に、シートシャッター装置３４は、スーパーマーケットの鮮魚売場と鮮魚倉庫との間の開口部に、シートシャッター装置３５は、スーパーマーケットの惣菜売場と惣菜倉庫との間の開口部に、シートシャッター装置３６は、スーパーマーケットの野菜売場と野菜倉庫との間の開口部に、それぞれ設置されているものとする。
【００３８】
図７に示すように、シートシャッター装置３３は、シート１１と、モータ１２と、制御装置１３と、画像表示装置１４と、サーバ３２に接続された火災センサ４１とを具備する。火災センサ４１は、火災を検知した場合、火災検知信号をサーバ３２に送信する。
シートシャッター装置３４〜３６の内部構成も、シートシャッター装置３３と同様である。
【００３９】
図８は、サーバ３２の内部構成の概要を示す図である。図８に示すように、サーバ３２は、ＰＯＳ情報記録部２１と、画像データ記録部２２と、入力部２３と、スケジュールデータ作成処理部２４と、表示部２５と、スケジュールデータ記録部２６と、画像データ送信部２７と、アラート画像データ記録部５１と、画像優先表示処理部５２とを具備する。
アラート画像データ記録部５１は、火災が発生したこと、避難方向等を買い物客に知らせるためのアラート画像を記録している。
【００４０】
画像優先表示処理部５２は、シートシャッター装置３３〜３６内の火災センサ４１に接続されており、シートシャッター装置３３〜３６のいずれからも火災検知信号を受信していない場合には、スケジュールデータ記録部２６に記録されているスケジュールデータに従って、画像データ記録部２２から所定の画像データを読み出して、画像データ送信部２７を介してシートシャッター装置３３〜３６に送信する。一方、画像優先表示処理部５２は、シートシャッター装置３３〜３６のいずれかから火災検知信号を受信した場合には、アラート画像データ記録部５１からアラート画像データを読み出して、画像データ送信部２７を介してシートシャッター装置３３〜３６に送信する。
【００４１】
なお、画像優先表示処理部５２が、シートシャッター装置３３から火災検知信号を受信した場合には、鮮魚売場、鮮魚倉庫、惣菜売場、惣菜倉庫、野菜売場、又は、野菜倉庫の方向に避難することを買い物客に知らせるアラート画像をシートシャッター装置３３内の画像表示装置１４に表示させることとしても良い。また、画像優先表示処理部５２が、シートシャッター装置３４から火災検知信号を受信した場合には、精肉売場、精肉倉庫、惣菜売場、惣菜倉庫、野菜売場、又は、野菜倉庫の方向に避難することを買い物客に知らせるアラート画像をシートシャッター装置３４内の画像表示装置１４に表示させることとしても良い。また、画像優先表示処理部５２が、シートシャッター装置３５から火災検知信号を受信した場合には、精肉売場、精肉倉庫、鮮魚売場、鮮魚倉庫、野菜売場、又は、野菜倉庫の方向に避難することを買い物客に知らせるアラート画像をシートシャッター装置３５内の画像表示装置１４に表示させることとしても良い。また、画像優先表示処理部５２が、シートシャッター装置３６から火災検知信号を受信した場合には、精肉売場、精肉倉庫、鮮魚売場、鮮魚倉庫、惣菜売場、又は、惣菜倉庫の方向に避難することを買い物客に知らせるアラート画像をシートシャッター装置３６内の画像表示装置１４に表示させることとしても良い。
【００４２】
次に、シートシャッターシステム３１の動作について説明する。図９は、シートシャッターシステム３１のサーバ３２の動作を示すフローチャートである。
まず、スケジュールデータ作成処理部２４が、ＰＯＳ情報記録部２１にＰＯＳ情報が送信及び記録されたか否かをチェックし（ステップＳ２１）、ＰＯＳ情報が送信及び記録された場合には、ＰＯＳ情報をスケジュールデータ作成時に参照することとする（ステップＳ２２）。
【００４３】
次に、画像データ記録部２２が、画像出力装置から送信される画像データを記録する（ステップＳ２３）。
そして、スケジュールデータ作成処理部２４が、ユーザからの入力に応じて、スケジュールデータを作成又は更新し、スケジュールデータ記録部２６に記録する（ステップＳ２４）。そして、スケジュールデータ記録部２６に記録されているスケジュールデータに従って、シートシャッター装置３〜６に画像データの受信準備を指示する（ステップＳ２５）。
【００４４】
次に、画像優先表示処理部５２が、シートシャッター装置３３〜３６のいずれかから火災検知信号を受信したか否かをチェックし（ステップＳ２６）、火災検知信号を受信した場合には、アラート画像データ記録部５１に記録されているアラート画像データを画像データ送信部２７を介してシートシャッター装置３３〜３６に送信し、シートシャッター装置３３〜３６にアラート画像を表示させる（ステップＳ２７）。
【００４５】
一方、シートシャッター装置３３〜３６のいずれからも火災検知信号を受信していない場合には、シートシャッター装置３３〜３６の受信準備の完了をチェックし（ステップＳ２８）、シートシャッター装置３３〜３６内のシート１１が下限位置で停止しているか否かをチェックし（ステップＳ２９）、シート１１が下限位置で停止していない場合には、シート１１が下限位置で停止するまで待つ（ステップＳ３０）。
【００４６】
次に、画像データ送信部２７は、シートシャッター装置３３〜３６への画像データの送信を開始する（ステップＳ３１）。画像データ送信部２７は、シートシャッター装置３３〜３６への画像データの送信が開始された後にシート１１が動作した場合（ステップＳ３２）、画像データの送信を一時停止し（ステップＳ３３）、その後、シート１１が下限位置で停止すると（ステップＳ３４）、処理をステップＳ３２に戻す。
【００４７】
ステップＳ３２においてシート１１が動作停止している場合、画像データ送信部２７は、画像データの送信が全て完了したか否かをチェックし（ステップＳ３５）、完了していない場合には、次の画像データの送信を行い（ステップＳ３６）、その後、処理をステップＳ２５に戻す。
【００４８】
なお、シートシャッター装置３３〜３６内の画像表示装置１４として、特許文献１に掲載されている店頭ディスプレイ装置と同様に、プロジェクター装置を用いる場合には、シート１１の位置をチェックするステップＳ２９〜ステップＳ３０及びステップＳ３２〜ステップＳ３４が必要であるが、図２及び図３に示すように、液晶表示装置を用いる場合には、ステップＳ２９〜ステップＳ３０及びステップＳ３２〜ステップＳ３４は、必ずしも必要ではない。
【００４９】
その後、画像データの送信が全て完了した場合（ステップＳ３５）、画像データ送信部２７は、処理を終了する。このようにしてサーバ３２から送信された画像データに基づいて、シートシャッター装置３３〜３６内の画像表示装置１４が、画像を表示する。
【００５０】
以上説明したように、シートシャッターシステム３１によれば、シートシャッター装置３３〜３６内の火災センサ４１が火災を検知した場合、スケジュールデータによって定められたスケジュールより優先してアラート画像データをシートシャッター装置３３〜３６に送信し、シートシャッター装置３３〜３６内の画像表示装置１４がアラート画像データに基づくアラート画像を表示することができる。これにより、アラート画像を表示するためのテレビジョン装置等を配置するためのスペースを不要とすることができるとともに、火災が発生したこと、避難方向等を買い物客に知らしめることができる。
【００５１】
次に、本発明の第３の実施形態について説明する。図１０は、本発明の第３の実施形態に係るシートシャッターシステムの概要を示す図である。図１０に示すように、このシートシャッターシステム６１は、サーバ６２と、シートシャッター装置３〜６とを具備する。
【００５２】
本実施形態において、サーバ６２は、スーパーマーケットの事務室内に設置されているものとする。
図１１は、サーバ６２の内部構成の概要を示す図である。図１１に示すように、サーバ６２は、ＰＯＳ情報記録部２１と、画像データ記録部２２と、入力部２３と、スケジュールデータ作成処理部２４と、表示部２５と、スケジュールデータ記録部２６と、画像データ送信部２７とを具備する。
【００５３】
次に、シートシャッターシステム６１の動作について説明する。図１２及び図１３は、シートシャッターシステム６１のサーバ６２の動作を示すフローチャートである。
まず、ＰＯＳ情報記録部２１が、ＰＯＳシステムからＰＯＳ情報を受信して記録する（ステップＳ４１）。
【００５４】
次に、画像データ記録部２２が、画像出力装置から送信される画像データを記録する（ステップＳ４２）。
そして、スケジュールデータ作成処理部２４が、ユーザからの入力に応じて、スケジュールデータを作成又は更新し、スケジュールデータ記録部２６に記録する（ステップＳ４３）。図１３は、ステップＳ４３の処理の詳細を示すフローチャートである。
【００５５】
まず、スケジュールデータ作成処理部２４は、所望の商品名及び編集モード選択の入力を受け付ける（ステップＳ６１）。ここで、編集モードは、入力された商品が良く売れている時間帯に着目してスケジュールデータを作成又は更新する売れ筋編集モード、入力された商品と競合する他社商品が良く売れている時間帯に着目してスケジュールデータを作成又は更新する他社競合編集モード、又は、入力された商品があまり売れていない時間帯に着目してスケジュールデータを作成又は更新する非売れ筋編集モードの３つのモードのいずれかであるものとする。
なお、本実施形態においては、ビールという商品種別を例にとって説明する。具体的には、図１４に示すように、このスーパーマーケットにおいて、「Ａ社」の「ａ〜ｃ商品」、「Ｂ社」の「ｄ〜ｆ商品」、「Ｃ社」の「ｇ〜ｈ商品」、及び、「Ｄ社」の「ｉ〜ｊ商品」という１０種類のビールを販売しているものとする。
【００５６】
売れ筋編集モードが選択された場合（ステップＳ６２）、スケジュールデータ作成処理部２４は、ＰＯＳ情報記録部２１に記録されているＰＯＳ情報から、大分類（ここでは、ビール）の時間帯毎（ここでは、１時間毎）の販売数を集計する（ステップＳ６３）。なお、ここでは、ステップＳ６１において、「ａ商品」が入力されたものとする。
ここでは、図１５に示すように、１６時００分〜１６時５９分の間に４００本、１７時００分〜１７時５９分の間に６００本、１８時００分〜１８時５９分の間に７００本、１９時００分〜１９時５９分の間に６００本、２０時００分〜２０時５９分の間に５００本のビールが販売されたものとする。
【００５７】
次に、スケジュールデータ作成処理部２４は、ＰＯＳ情報記録部２１に記録されているＰＯＳ情報から、中分類（ここでは、ステップＳ６１において「ａ商品」が入力されているため、「Ａ社」となる）の時間帯毎（ここでは、１時間毎）の販売数を集計する（ステップＳ６４）。ここでは、図１５に示すように、１６時００分〜１６時５９分の間に３００本、１７時００分〜１７時５９分の間に４００本、１８時００分〜１８時５９分の間に５００本、１９時００分〜１９時５９分の間に３００本、２０時００分〜２０時５９分の間に２００本の「Ａ社」製ビールが販売されたものとする。
【００５８】
次に、スケジュールデータ作成処理部２４は、ＰＯＳ情報記録部２１に記録されているＰＯＳ情報から、小分類（ここでは、ステップＳ６１において入力された「ａ商品」）の時間帯毎（ここでは、１時間毎）の販売数を集計する（ステップＳ６５）。ここでは、図１５に示すように、１６時００分〜１６時５９分の間に２００本、１７時００分〜１７時５９分の間に２００本、１８時００分〜１８時５９分の間に３００本、１９時００分〜１９時５９分の間に２００本、２０時００分〜２０時５９分の間に１００本の「ａ商品」が販売されたものとする。
【００５９】
次に、スケジュールデータ作成処理部２４は、ステップＳ６３〜ステップＳ６５の集計値のピークが重なる時間帯を求める（ステップＳ６６）。ここでは、ステップＳ６３の集計値のピーク（７００本）の時間帯は１８時００分〜１８時５９分であり、ステップＳ６４の集計値のピーク（５００本）の時間帯は１８時００分〜１８時５９分であり、ステップＳ６５の集計値のピーク（３００本）の時間帯は１８時００分〜１８時５９分である。従って、ここでは、ステップＳ６３〜ステップＳ６５の集計値のピークが重なる時間帯は、１８時００分〜１８時５９分となる。
【００６０】
そして、スケジュールデータ作成処理部２４は、ステップＳ６６にて求めた時間帯（ここでは、１８時００分〜１８時５９分）に、ステップＳ６１にて入力された商品（ここでは、「ａ商品」）の画像を表示する時間を長くするためのスケジュールデータを作成する（ステップＳ６７）。これは、「ａ商品」が良く売れた時間帯（ここでは、１８時００分〜１８時５９分）に「ａ商品」の画像を表示する時間を長くすることにより、この時間帯において「ａ商品」が更に良く売れることが期待できるためである。
【００６１】
一方、他社競合編集モードが選択された場合（ステップＳ６２）、スケジュールデータ作成処理部２４は、ステップＳ６１にて入力された商品（ここでは、「ａ商品」とする）と競合する商品（ここでは、「ｄ商品」とする）の入力を受け付ける（ステップＳ６８）。なお、ＰＯＳ情報において競合する商品への関連付けがされている場合には、競合する商品の入力を省略することができる。
【００６２】
次に、スケジュールデータ作成処理部２４は、ＰＯＳ情報記録部２１に記録されているＰＯＳ情報から、小分類（ここでは、ステップＳ６８において入力された「ｄ商品」）の時間帯毎（ここでは、１時間毎）の販売数を集計する（ステップＳ６９）。ここでは、図１６に示すように、１６時００分〜１６時５９分の間に２００本、１７時００分〜１７時５９分の間に２００本、１８時００分〜１８時５９分の間に３００本、１９時００分〜１９時５９分の間に２００本、２０時００分〜２０時５９分の間に１００本の「ｄ商品」が販売されたものとする。
【００６３】
次に、スケジュールデータ作成処理部２４は、ステップＳ６９の集計値がピークとなる時間帯を求める（ステップＳ７０）。ここでは、ステップＳ６９の集計値のピーク（３００本）の時間帯は１８時００分〜１８時５９分である。従って、ここでは、ステップＳ６９の集計値がピークとなる時間帯は、１８時００分〜１８時５９分となる。
【００６４】
そして、スケジュールデータ作成処理部２４は、ステップＳ７０にて求めた時間帯（ここでは、１８時００分〜１８時５９分）に、ステップＳ６１にて入力された商品（ここでは、「ａ商品」）の画像を表示する時間を長くするためのスケジュールデータを作成する（ステップＳ７１）。これは、「ａ商品」と競合する「ｄ商品」が良く売れた時間帯（ここでは、１８時００分〜１８時５９分）に「ａ商品」の画像を表示する時間を長くすることにより、この時間帯において買い物客が「ｄ商品」に代えて「ａ商品」を購入することが期待できるためである。
【００６５】
一方、非売れ筋編集モードが選択された場合（ステップＳ６２）、スケジュールデータ作成処理部２４は、ＰＯＳ情報記録部２１に記録されているＰＯＳ情報から、大分類（ここでは、ビール）の時間帯毎（ここでは、１時間毎）の販売数を集計する（ステップＳ７２）。なお、ここでは、ステップＳ６１において、「ｉ商品」が入力されたものとする。
ここでは、図１７に示すように、１６時００分〜１６時５９分の間に４００本、１７時００分〜１７時５９分の間に６００本、１８時００分〜１８時５９分の間に３００本、１９時００分〜１９時５９分の間に６００本、２０時００分〜２０時５９分の間に５００本のビールが販売されたものとする。
【００６６】
次に、スケジュールデータ作成処理部２４は、ＰＯＳ情報記録部２１に記録されているＰＯＳ情報から、中分類（ここでは、ステップＳ６１において「ｉ商品」が入力されているため、「Ｄ社」となる）の時間帯毎（ここでは、１時間毎）の販売数を集計する（ステップＳ７３）。ここでは、図１７に示すように、１６時００分〜１６時５９分の間に３００本、１７時００分〜１７時５９分の間に４００本、１８時００分〜１８時５９分の間に２００本、１９時００分〜１９時５９分の間に３００本、２０時００分〜２０時５９分の間に４００本の「Ｄ社」製ビールが販売されたものとする。
【００６７】
次に、スケジュールデータ作成処理部２４は、ＰＯＳ情報記録部２１に記録されているＰＯＳ情報から、小分類（ここでは、ステップＳ６１において入力された「ｉ商品」）の時間帯毎（ここでは、１時間毎）の販売数を集計する（ステップＳ７４）。ここでは、図１７に示すように、１６時００分〜１６時５９分の間に２００本、１７時００分〜１７時５９分の間に２００本、１８時００分〜１８時５９分の間に１２０本、１９時００分〜１９時５９分の間に２００本、２０時００分〜２０時５９分の間に１００本の「ｉ商品」が販売されたものとする。
【００６８】
次に、スケジュールデータ作成処理部２４は、ステップＳ７２〜ステップＳ７４の集計値の最低値が重なる時間帯を求める（ステップＳ７５）。ここでは、ステップＳ７２の集計値の最低値（３００本）の時間帯は１８時００分〜１８時５９分であり、ステップＳ７３の集計値の最低値（２００本）の時間帯は１８時００分〜１８時５９分であり、ステップＳ７４の集計値の最低値（１２０本）の時間帯は１８時００分〜１８時５９分である。従って、ここでは、ステップＳ７２〜ステップＳ７４の集計値の最低値が重なる時間帯は、１８時００分〜１８時５９分となる。
【００６９】
そして、スケジュールデータ作成処理部２４は、ステップＳ７５にて求めた時間帯（ここでは、１８時００分〜１８時５９分）に、ステップＳ６１にて入力された商品（ここでは、「ｉ商品」）の画像を表示する時間を長くするためのスケジュールデータを作成する（ステップＳ７６）。これは、「ｉ商品」があまり売れなかった時間帯（ここでは、１８時００分〜１８時５９分）に「ｉ商品」の画像を表示する時間を長くすることにより、この時間帯において「ｉ商品」の販売数が向上することが期待できるためである。
【００７０】
その後、スケジュールデータ作成処理部２４は、ステップＳ６７、ステップＳ７１、又は、ステップＳ７６にて作成したスケジュールデータをスケジュールデータ記録部２６に記録し（ステップＳ７７）、処理を終了する。
【００７１】
再び図１２を参照すると、画像データ送信部２７が、スケジュールデータ記録部２６に記録されているスケジュールデータに従って、シートシャッター装置３〜６に画像データの受信準備を指示する（ステップＳ４４）。画像データ送信部２７は、シートシャッター装置３〜６から受信準備の確認信号を受信すると（ステップＳ４５）、シートシャッター装置３〜６内のシート１１が下限位置で停止しているか否かをチェックし（ステップＳ４６）、シート１１が下限位置で停止していない場合には、シート１１が下限位置で停止するまで待つ（ステップＳ４７）。
【００７２】
次に、画像データ送信部２７は、シートシャッター装置３〜６への画像データの送信を開始する（ステップＳ４８）。画像データ送信部２７は、シートシャッター装置３〜６への画像データの送信が開始された後にシート１１が動作した場合（ステップＳ４９）、画像データの送信を一時停止し（ステップＳ５０）、その後、シート１１が下限位置で停止すると（ステップＳ５１）、処理をステップＳ４９に戻す。
【００７３】
ステップＳ４９においてシート１１が動作停止している場合、画像データ送信部２７は、画像データの送信が全て完了したか否かをチェックし（ステップＳ５２）、完了していない場合には、次の画像データの送信を行い（ステップＳ５３）、その後、処理をステップＳ４４に戻す。
【００７４】
なお、シートシャッター装置３〜６内の画像表示装置１４として、特許文献１に掲載されている店頭ディスプレイ装置と同様に、プロジェクター装置を用いる場合には、シート１１の位置をチェックするステップＳ４６〜ステップＳ４７及びステップＳ４９〜ステップＳ５１が必要であるが、図２及び図３に示すように、液晶表示装置を用いる場合には、ステップＳ４６〜ステップＳ４７及びステップＳ４９〜ステップＳ５１は、必ずしも必要ではない。
【００７５】
その後、画像データの送信が全て完了した場合（ステップＳ５２）、画像データ送信部２７は、処理を終了する。このようにしてサーバ６２から送信された画像データに基づいて、シートシャッター装置３〜６内の画像表示装置１４が、画像を表示する。
【００７６】
以上説明したように、シートシャッターシステム６１によれば、所望の商品が良く売れている時間帯、所望の商品と競合する他社商品が良く売れている時間帯、又は、所望の商品があまり売れていない時間帯に所望の商品の画像を長く表示することができる。これにより、所望の商品の販売数の向上が期待できる。
【００７７】
なお、本実施形態においては、ステップＳ６６において、大分類の時間帯毎の販売数のピーク、中分類の時間帯毎の販売数のピーク、及び、小分類の時間帯毎の販売数のピークが重なる時間帯を求めることとしているが、これらの中の２つのピークが重なる時間帯を求めることとしても良いし、いずれか１つのピークの時間帯を求めることとしても良い。同様に、ステップＳ７５において、大分類の時間帯毎の販売数の最低値、中分類の時間帯毎の販売数の最低値、及び、小分類の時間帯毎の販売数の最低値が重なる時間帯を求めることとしているが、これらの中の２つの最低値が重なる時間帯を求めることとしても良いし、いずれか１つが最低値の時間帯を求めることとしても良い。
【産業上の利用可能性】
【００７８】
本発明は、シートシャッターシステムにおいて利用可能である。
【図面の簡単な説明】
【００７９】
【図１】本発明の第１の実施形態に係るシートシャッターシステムの概要を示す図である。
【図２】図１のシートシャッター装置３の外観の一例を示す図である。
【図３】図１のシートシャッター装置３の外観の一例を示す図である。
【図４】図１のサーバ２の内部構成の概要を示す図である。
【図５】図４のスケジュールデータ記録部２６に記録されるスケジュールデータの一例を示す図である。
【図６】図１のサーバ２の動作を示すフローチャートである。
【図７】本発明の第２の実施形態に係るシートシャッターシステムの概要を示す図である。
【図８】図７のサーバ３２の内部構成の概要を示す図である。
【図９】図７のサーバ３２の動作を示すフローチャートである。
【図１０】本発明の第３の実施形態に係るシートシャッターシステムの概要を示す図である。
【図１１】図１０のサーバ６２の内部構成の概要を示す図である。
【図１２】図１０のサーバ６２の動作を示すフローチャートである。
【図１３】図１０のサーバ６２の動作を示すフローチャートである。
【図１４】図１１のＰＯＳ情報記録部２１に記録されるＰＯＳ情報分類一覧の例を示す図である。
【図１５】図１１のＰＯＳ情報記録部２１に記録されるＰＯＳ情報の例を示す図である。
【図１６】図１１のＰＯＳ情報記録部２１に記録されるＰＯＳ情報の例を示す図である。
【図１７】図１１のＰＯＳ情報記録部２１に記録されるＰＯＳ情報の例を示す図である。
【符号の説明】
【００８０】
１、３１、６１  シートシャッターシステム  ２、３２、６２  サーバ
３〜６  シートシャッター装置              １１  シート
１２  モータ                              １３  制御装置
１４  画像表示装置                        ２１  ＰＯＳ情報記録部
２２  画像データ記録部                    ２３  入力部
２４  スケジュールデータ作成処理部        ２５  表示部
２６  スケジュールデータ記録部            ２７  画像データ送信部
４１  火災センサ                          ５１  アラート画像記録部
５２  画像優先表示処理部
【図１】
2005299369.tif 000003
【図２】
2005299369.tif 000004
【図３】
2005299369.tif 000005
【図４】
2005299369.tif 000006
【図５】
2005299369.tif 000007
【図６】
2005299369.tif 000008
【図７】
2005299369.tif 000009
【図８】
2005299369.tif 000010
【図９】
2005299369.tif 000011
【図１０】
2005299369.tif 000012
【図１１】
2005299369.tif 000013
【図１２】
2005299369.tif 000014
【図１３】
2005299369.tif 000015
【図１４】
2005299369.tif 000016
【図１５】
2005299369.tif 000017
【図１６】
2005299369.tif 000018
【図１７】
2005299369.tif 000019